(57)【特許請求の範囲】
【請求項１】
内視鏡を収容して洗滌する洗滌槽を有し、予め設定された洗滌工程に従って内視鏡を洗滌する内視鏡洗滌装置において、
前記各洗滌工程の経過時間を表示する複数の第１表示手段と、
前記各洗滌工程の残時間を表示する複数の第２表示手段と、
前記内視鏡洗滌装置によって内視鏡の洗滌が開始されると、その洗滌工程の経過時間及び残時間を計時し、計時した経過時間を、その洗滌工程に対応する前記第１表示手段に表示させると共に、その洗滌工程の残時間を、その洗滌工程に対応する前記第２表示手段に表示させる制御手段と、
を備えたことを特徴とする内視鏡洗滌装置。
【請求項２】
前記複数の第１表示手段及び／又は前記複数の第２表示手段は、経過時間及び／又は残時間をアナログ表示する液晶表示手段であることを特徴とする請求項１記載の内視鏡洗滌装置。
【発明の詳細な説明】
【０００１】
【発明の属する技術分野】
本発明は内視鏡洗滌装置に係り、特に各洗滌工程の経過時間や残時間を表示する表示機能を備えた内視鏡洗滌装置に関する。
【０００２】
【従来の技術】
検査に使用された内視鏡は、内視鏡洗滌装置の洗滌槽内に収容された後、前洗滌、超音波洗滌、薬液消毒、すすぎ等の複数の洗滌工程を経て洗滌される。このように洗滌された内視鏡は、乾燥された後に内視鏡洗滌装置から取り出されて次の使用時まで保管される。
【０００３】
ところで、各洗滌工程の所要時間は、内視鏡洗滌装置に設けられた操作パネルのモード設定ボタンと時間入力ボタンを操作することにより設定される。この所要時間の設定後にスタートボタンを押すと、その設定時間に従って内視鏡の洗滌が開始される。
【０００４】
【発明が解決しようとする課題】
しかしながら、従来の内視鏡洗滌装置は、一度洗滌を開始してしまうと、現在どの工程を行っており、後どの程度の時間がかかるのかを表示する表示手段がなので、使い難いという欠点がある。
また、従来の内視鏡洗滌装置には、全工程の残時間を数値のみでデジタル表示しているものがあるが、洗滌工程毎の残時間を表示するものはなく、また、数値のみの表示なので、何を示しているのか分かり難いという欠点がある。
【０００５】
本発明はこのような事情に鑑みてなされたもので、現在の洗滌工程の経過時間や残時間を表示することにより使い易さを向上させることができる内視鏡洗滌装置を提供することを目的とする。
【０００６】
【課題を解決するための手段】
本発明は、前記目的を達成するために、内視鏡を収容して洗滌する洗滌槽を有し、予め設定された洗滌工程に従って内視鏡を洗滌する内視鏡洗滌装置において、前記各洗滌工程の経過時間を表示する複数の第１表示手段と、前記各洗滌工程の残時間を表示する複数の第２表示手段と、前記内視鏡洗滌装置によって内視鏡の洗滌が開始されると、その洗滌工程の経過時間及び残時間を計時し、計時した経過時間を、その洗滌工程に対応する前記第１表示手段に表示させると共に、その洗滌工程の残時間を、その洗滌工程に対応する前記第２表示手段に表示させる制御手段と、を備えたことを特徴としている。
【０００７】
また、本発明は、前記目的を達成するために、内視鏡を収容して洗滌する洗滌槽を有し、予め設定された洗滌工程に従って内視鏡を洗滌する内視鏡洗滌装置において、前記各洗滌工程の残時間を表示する複数の表示手段と、前記内視鏡洗滌装置によって内視鏡の洗滌が開始されると、その洗滌工程の残時間を計時し、計時した残時間を、その洗滌工程に対応する前記表示手段に表示させる制御手段と、を備えたことを特徴としている。
【０００８】
請求項１記載の発明によれば、内視鏡の洗滌が開始されると、その洗滌工程の経過時間及び残時間が計時され、そして、前記経過時間は、その洗滌工程に対応する第１表示手段にリアルタイムに表示され、また、前記残時間は、その洗滌工程に対応する第２表示手段にリアルタイムに表示される。したがって、請求項１記載の発明は、現在どの洗滌工程なのか、後どの程度の時間がかかるのかを一目で確認することができるので、使い易さが向上する。
【０００９】
請求項２記載の発明は、第１表示手段及び／又は第２表示手段を、経過時間及び／又は残時間をアナログ表示する液晶表示手段で構成したものである。このように、経過時間や残時間をアナログ表示すると、経過時間や残時間の履歴が分かり易く、その表示内容が何を示しているのかを一目で判断することができるので、使い易さが更に向上する。
【００１２】
【発明の実施の形態】
以下添付図面に従って本発明に係る内視鏡洗滌装置の好ましい実施の形態について詳説する。
図１は、本発明が適用された内視鏡洗滌装置１０の外観を示す斜視図である。同図に示す内視鏡洗滌装置１０は箱型に形成され、装置本体１２と上蓋１４とから構成される。装置本体１２の上面には内視鏡１６を収容する洗滌槽１８が形成され、この洗滌槽１８内には、回転型噴射装置２０が設けられている。内視鏡１６は、洗滌槽１８に収容されて上蓋１４が閉じられた後に、前記回転噴射装置２０から噴射される洗滌液によって洗滌される。
【００１３】
前記装置本体１２の上面には、操作パネル２６及び表示パネル２８が設けられており、操作パネル２６を操作することにより各洗滌工程の所要時間の設定や洗滌スタート等の指示を入力することができる。
前記表示パネル２８には図２に示すように、メインＬＣＤパネル３０、及びこのメインＬＣＤパネル３０を囲むように４つのサブＬＣＤパネル３２、３４、３６、３８が設けられている。
【００１４】
前記メインＬＣＤパネル３０は円盤状に形成されると共に、表示部がその中央部３０Ａを中心に放射状に６０等分されている。これら６０列の表示部は、１５列毎に４分割されており、最初の１５列の表示部（１２時の位置〜３時の位置までの表示部）が前洗滌の経過時間を示す表示部、次の１５列の表示部（３時の位置〜６時の位置までの表示部）が超音波洗滌の経過時間を示す表示部、そして、次の１５列の表示部（６時の位置〜９時の位置までの表示部）が薬液消毒の経過時間を示す表示部、そして、最後の１５列の表示部（９時の位置〜１２時の位置までの表示部）がすすぎの経過時間を示す表示部として使用される。
【００１５】
このメインＬＣＤパネル３０は、図４に示すＣＰＵ４０に制御されたＬＣＤ駆動装置４２によって、１分経過する毎に１列毎連続的に表示されるように制御されている。例えば、図３に示す前記メインＬＣＤパネル３０には、前洗滌の１５列の表示部のうち１０列の表示部３０Ｂがアナログ表示され、超音波洗滌の１５列の表示部のうち１０列の表示部３０Ｃがアナログ表示され、更に、薬液消毒の１５列の表示部のうち５列の表示部３０Ｄがアナログ表示されている。したがって、このように表示されたメインＬＣＤパネル３０を見れば、１０分間の前洗滌と１０分間の超音波洗滌とが終了し、現在は薬液消毒工程で５分経過したことを確認することができる。なお、メインＬＣＤパネル３０の周囲の表示パネル２８には、「前洗滌」の文字４４、「超音波洗滌」の文字４６、「薬液消毒」の文字４８、及び「すすぎ」の文字５０が印刷され、これらの文字４４〜５０により、各工程の経過時間がいっそう簡単に認識できるようになっている。
【００１６】
前記４つのサブＬＣＤパネル３２〜３８は、各洗滌工程の所要時間をデジタル表示するものであり、洗滌開始前の各サブＬＣＤパネル３２〜３８には、各洗滌工程の所要時間（前洗滌１０分、超音波洗滌１０分、薬液消毒１０分、すすぎ１０分）が表示される。この所要時間は、図４に示す操作パネル２６のモード設定ボタン５２と時間入力ボタン５４の操作で設定される。即ち、前記各ボタン５２、５４が操作されると、ＣＰＵ４０がＬＣＤ駆動装置４２を制御して前記所要時間を各サブＬＣＤパネル３２〜３８に表示する。また、設定された各洗滌工程毎の所要時間は、ＣＰＵ４０のＲＡＭ５６に記憶される。
【００１７】
ところで、前記サブＬＣＤパネル３２〜３８は、各洗滌工程の残時間もデジタル表示される。例えば、図３に示すように１０分間の前洗滌が終了したサブＬＣＤパネル３２には「０」と表示され、１０分間の超音波洗滌が終了したサブＬＣＤパネル３４にも「０」と表示される。また、現在処理中の５分経過した薬液消毒のサブＬＣＤパネル３６には「５」と表示され、更に、未処理のすすぎのサブＬＣＤパネル３８には「１０」と表示される。この残時間は、図４に示す操作パネル２６のスタートボタン５８が押されると、１分毎にカウントダウン表示される。即ち、スタートボタン５８が押されると、ＣＰＵ４０によってタイマ６０が制御されて計時し始め、そして、タイマ６０からの計時情報に基づいて、ＲＡＭ５６に記憶されている所要時間がカウントダウンされることにより、１分毎にカウントダウン表示される。また、ＣＰＵ４０は、その工程の所要時間が終了すると、次の工程の所要時間もカウントダウンして、次の工程のサブＬＣＤパネルに残時間をカウントダウン表示する。なお、ＣＰＵ４０は、洗滌装置１０の洗滌液供給装置（図示せず）も制御しており、所要時間の開始時間及び終了時間に基づいて洗滌液供給装置を制御している。
【００１８】
次に、前記の如く構成された内視鏡洗滌装置１０の作用について説明する。
まず、検査に使用した内視鏡１６を、図示しない光源装置内蔵制御ユニット（プロセッサー）から取り外して、内視鏡洗滌装置１０の洗滌槽１８に収容する。そして、上蓋１４を閉じた後、操作パネル２６のモード設定ボタン５２、及び時間入力ボタン５４を操作して、各洗滌工程の所要時間を設定する。この設定時間は、図２に示すように各サブＬＣＤパネル３２〜３８に各洗滌工程毎に表示されるので、修正したい場合や確認する場合に便利である。そして、設定時間を決定した後、スタートボタン５８を押して前洗滌を開始する。
【００１９】
前洗滌を開始すると、回転型噴射装置２０から水が噴射され、内視鏡１６の前洗滌が行われる。この時、表示パネル２８のメインＬＣＤパネル３０には、前洗滌の表示部（１５列の表示部）が１分経過する毎にアナログ表示されていき、これと同時にサブＬＣＤパネル３２には残時間が１分経過する毎にデジタル表示されていく。これにより、操作者は、現工程の経過時間や残時間を一目で確認することができる。そして、前洗滌が終了すると、前洗滌の表示部のうち１０列の表示部３０Ｂが全て表示され、サブＬＣＤパネル３２には残時間「０」が表示される。
【００２０】
次に、超音波洗滌が開始され、この場合も同様に、メインＬＣＤパネル３０の超音波洗滌の表示部（１５列の表示部）が１分経過する毎にアナログ表示されていき、サブＬＣＤパネル３６には残時間が１分経過する毎にデジタル表示されていく。そして、超音波洗滌が終了すると、超音波洗滌の表示部のうち１０列の表示部３０Ｃが全て表示され、サブＬＣＤパネル３４には残時間「０」が表示される。
【００２１】
次に、薬液洗滌が開始される。この場合も同様に、メインＬＣＤパネル３０の薬液洗滌の表示部（１５列の表示部）が１分経過する毎にアナログ表示され、サブＬＣＤパネル３４に残時間が１分経過する毎にデジタル表示される。図３は、薬液洗滌が５分経過した時の表示パネル２８の表示状態を示している。この表示状態を見れば、操作者は、薬液洗滌が５分経過したこと、及び残時間が５分であることを一目で確認することができる。そして、薬液洗滌が終了すると、薬液洗滌の表示部のうち１０列の表示部が全て表示され、サブＬＣＤパネル３６には残時間「０」が表示される。次いで、すすぎが開始される。この場合も前記３つの工程と同様なので、その説明は省略する。
【００２２】
上記４つの洗滌工程を経て洗滌された内視鏡１６は、洗滌槽１８内で乾燥された後、上蓋１４を開いて取り出され、次の使用時まで保管される。
このように、本実施の形態によれば、洗滌工程の経過時間が、その洗滌工程に対応するメインＬＣＤパネル３０に表示され、また、洗滌工程の残時間がその洗滌工程に対応するサブＬＣＤパネル３２〜３８に表示されるので、現在どの洗滌工程なのか、後どの程度の時間がかかるのかを一目で確認することができる。これにより、使い易さが向上する。
【００２３】
また、メインＬＣＤパネル３０で経過時間をアナログ表示して、経過時間を履歴表示するようにしたので、その表示内容が何を示しているのか一目で判断することができる。これにより、使い易さが更に向上する。なお、本実施の形態では、残時間をデジタル表示したが、これに限られるものではなく、バーグラフ等の数値以外で表示する表示装置を用いてアナログ表示しても良い。
【００２４】
図５は、表示パネル２９の第２の実施の形態を示す説明図である。同図に示すように前記表示パネル２９には、前洗滌用のＬＣＤパネル７０、超音波洗滌用のＬＣＤパネル７２、薬液消毒用のＬＣＤパネル７４、すすぎ用のＬＣＤパネル７６が個別に横一列に設けられている。また、表示パネル２９には、「前洗滌」の文字８０、「超音波洗滌」の文字８２、「薬液消毒」の文字８４、及び「すすぎ」の文字８６が、それぞれに対応するＬＣＤパネル７０〜７６の下方に印刷されている。
【００２５】
前記ＬＣＤパネル７０〜７６は円盤状に形成されると共に、表示部がその中央部を中心として放射状に１２等分されている。これらのＬＣＤパネル７０〜７６は、図６に示す設定時間と図７に示す残時間とを表示するように図示しないＬＣＤ駆動装置によって制御されている。例えば、設定時間を表示している図６において、ＬＣＤパネル７０には、全１２列の表示部のうち５列の表示部がアナログ表示され、ＬＣＤパネル７２には、全１５列の表示部の３列の表示部がアナログ表示され、ＬＣＤパネル７４には、全１５列の表示部のうち６列の表示部がアナログ表示され、ＬＣＤパネル７６には、全１５列の表示部のうち７列の表示部がアナログ表示されている。したがって、このように表示されたＬＣＤパネル７０〜７６を見れば、５分間の前洗滌、３分間の超音波洗滌、６分間の薬液消毒、及び７分間のすすぎが設定されたことを一目で確認できる。なお、設定中においては、表示パネル２９の図中左上に配置した矩形のＬＣＤパネル７８上に設定中の文字が点灯、又は点滅表示される。
【００２６】
一方、残時間を表示している図７において、ＬＣＤパネル７０、７２には何も表示されず、ＬＣＤパネル７４には３列の表示部がアナログ表示され、ＬＣＤパネル７６には、７列の表示部がアナログ表示されている。したがって、このように表示されたＬＣＤパネル７０〜７６を見れば、前洗滌、超音波洗滌が終了し、現在は薬液消毒工程を実施中で残り３分、そして、７分間のすすぎが残っていることを一目で確認できる。なお、運転中においては、ＬＣＤパネル７８上に運転中の文字が点灯、又は点滅表示される。
【００２７】
このように構成された表示パネルにおいても、図１に示した表示パネル２８と同様に、現在どの洗滌工程なのか、後どの程度の時間がかかるのかを一目で確認することができる。これにより、使い易さが向上する。
【００２８】
【発明の効果】
以上説明したように本発明に係る内視鏡洗滌装置によれば、洗滌工程の経過時間が、その洗滌工程に対応する第１表示手段に表示され、また、洗滌工程の残時間がその洗滌工程に対応する第２表示手段に表示されるので、現在どの洗滌工程なのか、後どの程度の時間がかかるのかを一目で確認することができる。これにより、使い易さが向上する。
【００２９】
また、表示手段をアナログ表示する液晶表示手段で構成し、経過時間や残時間を履歴表示するようにしたので、その表示内容が何を示しているのかを一目で判断することができる。これにより、使い易さが更に向上する。
【図面の簡単な説明】
【図１】本発明の実施の形態に係る内視鏡洗滌装置の外観を示す斜視図
【図２】洗滌工程の経過時間及び残時間を表示する表示パネルの第１の実施の形態を示す説明図
【図３】運転中における図２に示した表示パネルの一例を示す説明図
【図４】図２に示した表示パネルの制御系を示すブロック図
【図５】洗滌工程の残時間を表示する表示パネルの第２の実施の形態を示す説明図
【図６】各洗滌工程の所要時間が設定された時の表示パネルの一例を示す説明図
【図７】運転中における図５に示した表示パネルの一例を示す説明図
【符号の説明】
１０…内視鏡洗滌装置
１２…装置本体
１６…内視鏡
２６…操作パネル
２８…表示パネル
３０…メインＬＣＤパネル
３２〜３８…サブＬＣＤパネル
４０…ＣＰＵ
４２…ＬＣＤ駆動装置
７０〜７６…ＬＣＤパネル
【図１】
0003864324.tif 000002
【図２】
0003864324.tif 000003
【図３】
0003864324.tif 000004
【図４】
0003864324.tif 000005
【図５】
0003864324.tif 000006
【図６】
0003864324.tif 000007
【図７】
0003864324.tif 000008